(57)【特許請求の範囲】
【請求項１】
前後左右に並べられ、或いは上下に積み重ねられることにより、所望の構築物を構築するための長尺ブロックであって、長尺ブロックの本体は、所定の幅で少なくとも一方向へ延び、かつ梁から成る部材を四辺形状に結合した梁枠状構造を有する平板部と、平板部の並行する両側において、平板部から直交方向下方に向けて延び、かつ四辺形状に結合した梁枠状構造の四隅に相当する個所に位置している柱状構造を有する一対の側板部と、平板部と側板部とで囲まれる内部空間とを有しており、内部空間に面する本体には、側板部に配置される側板要素を嵌め合わせるための嵌合手段が備わっており、嵌合手段は柱状構造を有する側板部の本体長手方向及び幅方向に向いた側に形成されている凹溝であり、そこに側板要素の両側辺を嵌め合わせるようになっていることを特徴とする構築用長尺ブロック。
【請求項２】
平板部は四辺形を単位とする梁枠状構造を複数個連結した構造を有する請求項１記載の構築用長尺ブロック。
【発明の詳細な説明】
【０００１】
【発明の属する技術分野】
本発明は、前後左右に並べられ或いは上下に積み重ねられることにより、所望の構築物を構築するための長尺ブロックに関するものである。
【０００２】
【従来の技術】
例えば、河川等の護岸を構築する場合、従来は護岸構築用のブロックが用いられており、それを他の構造物に流用することは行われておらず、また不可能に近い。そのためコンクリートブロックの種類が大変多くなり、夫々のブロックを製造する型枠の種類も多種多様なものが必要となる。従来のコンクリートブロック製造のためには、鋼板を使用した大重量かつ大型の金型を多数必要とするなどの理由により、従来のブロックは製造のための型枠投資がかかり過ぎるという問題があり、また在庫管理等の間接経費が嵩み、経済的なブロックができにくい、という事情もあった。
【０００３】
【発明が解決しようとする課題】
本発明は前記の点に着目してなされたものであって、その課題は、多種多様な構築物の構築に適した構築用長尺ブロックを提供することである。また本発明の他の課題は、構造上、梁と柱の組み合わせによる応力分散効果を奏し得る構築用長尺ブロックを提供することである。また本発明の他の課題は、内部に土砂類を充填する場合に、残土や再利用骨材を適用可能であることにより、環境を悪化させないようにすることである。
【０００４】
【課題を解決するための手段】
前記の課題を解決する、構築用長尺ブロックとして、本発明の長尺ブロックの本体は、所定の幅で少なくとも一方向へ延び、かつ梁から成る部材を四辺形状に結合した梁枠状構造を有する平板部と、平板部の並行する両側において、平板部から直交方向下方に向けて延び、かつ四辺形状を有する平板部の四隅に相当する箇所に位置している柱状構造を有する一対の側板部と、平板部と側板部とで囲まれる内部空間とを有しており、内部空間に面する本体には、側板部に配置される側板要素を嵌め合わせるための嵌合手段が備わっており、嵌合手段は、柱状構造を有する側板部に形状されている凹溝であり、そこに側板要素の両側辺を嵌め合わせるようになっている。
【０００５】
【発明の実施の形態】
本発明に係る構築用長尺ブロックは、前後左右に並べたり、上下に積み重ねたりして、所望の構築物を構築するためのものである。構築物はあらゆるものが対象となり、またそのための長尺ブロックの使用法も、並列その他あらゆる方向への敷設、積重、積上或いは架設等様々な方法を含む。
【０００６】
長尺ブロックの本体は、所定の幅で、少なくとも一方向へ延びている平板部を有する。長尺ブロックという意味は、少なくとも一方向へ延びている様をもって言うので、図１ないし図６のような態様を指すものであるが、例えば９０度異なる方向へ延びている平板部を有する場合には、図９に示すＬ字型や、図１０に示すＴ字型、或いは図１１に示す符号の「＋」型などが含まれる。
【０００７】
このような平板部は、平板とは言うものの、梁から成る部材を四辺形状に結合した梁枠状構造を有することができる。平板部は、また四辺形状を単位とする、梁枠状構造を複数個連結したものから成っていても良い（図７及び図１〜６、図９〜１１参照）。その連結の仕方により、図１等の長物や図９〜１１の形状が備わるものと考えて良い。
【０００８】
また長尺ブロックの本体は、平板部の並行する側面において、平板部から直交方向に延びている一対の側板部を有する。この側板部は、四辺形状を有する平板部の四隅に相当する箇所から延びている、柱状構造を有するものとすることができる。側板部は、柱状構造を有する場合、長尺ブロックの本体の並行する両側に一定間隔で並ぶことになる。また本体両側が閉塞板で閉じている態様を取ることができるが、その場合にも柱状構造を有する側板部を両側内側に一定間隔で設けることができる（図３、図４参照）。
【０００９】
また、長尺ブロックの本体は、平板部と側板部とで囲まれる内部空間を有している。つまり、長尺ブロックの本体は、中空構造体であり、その外形を決める要素となっているのが平板部と側板部とである、ということができる。内部空間は様々な用途に使われる。或いは、中空構造の本体を有する長尺ブロックであるが故に、あらゆる用途に使用できる可能性が拡大したということができる。内部空間は、或る用途では残土等を充填する場所となり、ある用途では水路となり、或る用途では水路の桝となり、或る用途では植物の生育が可能な土壌となり、また或る場合には河川の沈床ともなるなど、用途は特定されない。
【００１０】
さらに、長尺ブロックの本体の側板部には、側板部間内に配置される側板要素を嵌め合わせるための嵌合手段が備わっている。この嵌合手段は、柱状構造ないしは脚状構造を有する側板部に形成されるもので、例えば凹溝は嵌合手段に望ましい形態であり、凹溝に、側板要素の両側辺を嵌め合わせることが可能になる。
【００１１】
側板要素には、長尺ブロックの本体の側面を閉じるための前記の閉塞板と同様の板状要素や、外面に植木鉢の機能を備えたポット状要素、本体内部空間を仕切るように設ける仕切り要素、本体内に配置して本体の強度向上に寄与する中梁要素などがある。こうした側板要素は、長尺ブロックの本体の一部となってその構造強度を向上するための補強部材を兼ねている。
【００１２】
【実施例】
以下実施例を参照して本発明をより詳細に説明する。図１、図２は、本発明に係る構築用長尺ブロック１０の実施例１に関するもので、本体は、梁から成る部材を四辺形状に結合した梁枠状構造を最小単位とし、複数の空所にて識別される梁枠状構造部分を複数個連結した構造を持つ平板部１１を有している。最小単位の梁枠状構造部分は、構築用長尺ブロック１０と併用される図７の最小ブロック４０の平板部４１と同形となる。
【００１３】
また長尺ブロックの本体は、平板部１１から直交方向下方に延びている左右一対の側板部１３、１４を有している。側板部１３、１４は四辺形状の平板部１１の四隅に相当する箇所から下方へ延びている四脚状のもので、図７に示した最小ブロック４０の側板部４３、４４と同形となる。実施例１の長尺ブロックにおいて、両側の側板部１３、１３或いは１４、１４の間は空所１５となっている。
【００１４】
上記平板部１１と側板部１３…１４…とで囲まれる部分は下方に開いた内部空間１６であり、内部空間１６は本体の一方向に延び、かつ全体を貫通している。全体を長手方向に貫通している内部空間１６であるが、側板部１３…１４…の本体長手方向に向いた側には夫々嵌合手段１７として凹溝が形成されている。この嵌合手段１７は側板要素を両側辺で嵌め合わせるために用いられる。
【００１５】
嵌合手段１７と同様の凹溝は、最小単位の平板部１１の四隅に相当する箇所の内で、左右の側板部１３、１４の本体幅方向に向いた側にも形成されている。この凹溝も幅方向の嵌合手段１８と呼ぶ。最小単位の平板部の隣接する箇所において、幅方向の嵌合手段１８は２箇所ずつ平行に設けられることになる（図１（ｄ）、図２（ｂ）参照）。
【００１６】
さらに各空所１２の内周には、凹状の係合溝１９が縦方向（長手方向）、横方向（幅方向）に所定の間隔及び位置関係で設けられている。係合溝１９は、本体内部空間１６を仕切るように設けられる仕切り板類の取り付けのために設けられている。
【００１７】
図３、図４は本発明の実施例２に係る構築用長尺ブロック２０を示しており、実施例１の長尺ブロック１０が、平板部１１から直交方向下方に延びている左右一対の側板部１３、１４を有しているものであるのに対して、実施例２の長尺ブロック２０は平板部２１から直交方向上方に延びている左右一対の側板部２３、２４の列を有しているものである点において相違している。平板部２１が複数の空所２２で識別される梁状構造部分を複数個連結した構造を有する点も実施例１のものと共通しているが、実施例１のものが全体として橋状構造の長尺ブロックといえるのに対して、実施例２のものは左右両側が閉塞板２５によって閉じており全体として溝状構造の長尺ブロックといえる。
【００１８】
平板部２１と側板部２３、２４、閉塞板２５で囲まれる上方に開いた部分は内部空間２６であり、本体の一方向に延びかつ全体を貫通している。本体の左右両側が閉塞板２５で閉じているにも拘ず、その内側に一定間隔で設けられている左右対をなす側板部２３、２４には夫々幅方向の嵌合手段２８として凹溝が形成されている（図３（ａ）、図４（ａ））。但し長手方向の嵌合手段は不要である。さらに空所２２の内周には凹状の係合溝２９が実施例１のものと同じように形成されている。
【００１９】
図５、図６は本発明の実施例３に係る構築用長尺ブロック３０に関する例示であり、これは実施例１の長尺ブロック１０と同構造のもので、幅方向の寸法が倍になっている。それに伴って幅方向の中心線に沿って第３の側板部３８が長手方向に列設されている。平板部３１が複数の、但し幅方向に倍寸の、空所３２で識別される梁状構造部分を複数個連結した構造を有し、平板部３１から直交方向下方へ延びている左右一対の脚状の側板部３３、３４の列を有し、かつそれらの間が空所３５となっている点、実施例１と同様である。しかし中央に第３の側板部３８の列を設けているので、内部空間３６はその両側に２列存在することになる（図５（ｄ））。
【００２０】
また左右の側板部３３…、３４…の本体長手方向に向いた側に嵌合手段３７として凹溝が夫々形成されており、空所３２の内周には凹状の係合溝３９が実施例１と同様に所定の間隔及び位置関係で設けられている。なお実施例３では、実施例１における幅方向の嵌合手段を図示していないが、実施例１と同様に設けても何等支障はない。実施例１、２、３は最少限度の例示であって、これらに準じて様々な変更や変形を加えた長尺ブロックが形成され、併用される。
【００２１】
図７、図８は本発明の長尺ブロック１０、２０、３０…と共に併用する異形ブロック群の中の１例であり、かつ最小のブロック４０を示している。この最小ブロック４０は、他の長尺ブロック１０、２０、３０…の整数分の１の大きさ（長さ）を有する。或いは他の長尺ブロック１０、２０、３０…は最小ブロック４０を単位として複数個連結したような構成を有するものと言い換えることも可能である。
【００２２】
最小ブロック４０は、平板部４１として梁枠状構造を有し、従ってそれらによって囲まれる空所４２を有している。平板部４１の四隅からは、直交方向下方へ四脚状に左右一対の側板部４３、４４が延びている。それらの間は空所４５であり、また４個の側板部４３、４４、４３、４４及び平板部４１で囲まれる部分は下方に開いた内部空間４６である。梁枠状構造の平板部と４本の脚状の側板部４３、４４、４３、４４とから成る本体はほぼ立方体を為している。
【００２３】
さらに側板部４３、４３及び４４、４４の間には夫々嵌合手段４７、４８として凹溝が形成されており、これらは実施例１、２及び３における嵌合手段１７、３７、幅方向の嵌合手段１８、２８と同じ構造とする。また各空所４２の内周には、凹状の係合溝４９が縦方向、横方向に所定の間隔及び位置関係で設けられている。よって、図１ないし図６迄に示した各実施例１、２、３における詳細な構造は図８（ａ）、（ｂ）、（ｃ）を参照して把握することができるので、各実施例の符号を図８に合せ記載する。
【００２４】
図９、図１０、図１１には長尺ブロックの変形例が示してある。図９は、前記した最小ブロック４０を３個かぎの手に配置したものに相当する形状を有するＬ字型のブロック５１を示しており、図１０は同様にＴ字交差状に配置したＴ字型ブロック５２を、また図１１は同様に直交配置した＋型ブロック５３を示している。各変形ブロック５１、５２、５３はいずれも、平板部１１の四隅から下方へ向かって伸びる側板部１３…、１４…を有する実施例１（従って図７、図８の実施例４）と同じ構造を有しているので、要所に符号を付し、説明に代える。同様に、実施例２の構造を持ったものについても、また実施例３の構造を持ったものについても、夫々図９、図１０、図１１に示すような各種の変形ブロックを用意し、使用することができる。
【００２５】
各嵌合手段１７…１８…を用いて、長尺ブロック等１０…に嵌め合わせられる側板要素の例が図１２、図１３、図１４に示されている。各図では最小ブロック４０に対するものとして図示されているが、全ブロックに共通する。従って実施例４の符号にとらわれるべきではない。図１２において、５４は補強部材、５５はポットパネルと称する側板要素の例で同要素５５は外側に膨らんだ植木鉢部５６を有し、両側の嵌合縁部５７で嵌合手段４７の凹溝に嵌め合わせられる。同様の嵌合縁部５７を両側に有する様々な意匠パネル等の側板要素５８も、施工場所に適した壁面を作り出すために使用される。これらのパネル類は側板部１３〜４４の補強材となり、荷重に伴う側板部１３〜４４の変形を抑制する。側板要素５５…を周囲４面に嵌め合わせるなどの方法によって、長尺ブロック類の内部は立方体的空間となり、積み上げた場所では柱状となる。
【００２６】
図１３において、６０は横梁を示しており、両端の嵌合端部５９によりブロック側の嵌合手段５７に嵌め合わされる。また、図１４においては６１は四辺形状の天端梁を示しており、最小ブロック４０の四辺形を単位とするものであって、４個の側板部１３、１３、１４、１４と嵌め合わせられる嵌合端部６３を４箇所の角部に有している。天端梁６１は中央空所６２を有しており、この空所６２は前記各実施例１〜４におけるブロックの空所１２…と同形（実施例３の幅のみは倍寸）となっており、その内周には凹状の係合溝６９が縦方向、横方向に所定の間隔及び位置関係で設けられている。各梁６０、６１は本体にかかる応力を負担する。
【００２７】
本発明に係る構築用長尺ブロック１０…は、後述するように前後左右に並べられるほか、上下にも積み重ねられる。そこで、積み重ねたときに上位のものがずれて落下しないように、上下ブロックを結合させてずれを防止する結合部材６５が用意されており、またこれを嵌め合わせる結合相手６６が、ブロック本体の最小単位の４個の側板部１３…１４…の上面及び下面に形成されている。図１５参照。
【００２８】
図１６以下は、本発明に係る各種長尺ブロック１０…を使用して構築し得る構築物の例示である。図１６ないし図１８は擁壁の例示であり、図１６（ａ）の例では、四辺形を単位とする梁枠状構造を持つ実施例４の最小ブロック４０を２個連結した長尺ブロック７１を用いて積み上げた多段積み擁壁が示されている。長尺ブロック７１はパネル７２で囲って容器状とし、また幅方向の嵌合手段には仕切りを嵌め付け、内部空間を正２分し、地盤側に砂利、コンクリート等の中込材７３を充填する一方、壁表面側には土壌となる中込材７４を充填し、そこに植物７５を植えるようになっている。
【００２９】
図１６（ｂ）の例では、上記２連の長尺ブロック７１を基盤７６上に傾斜させて積み上げ、途中の段の長尺ブロック７１を最小単位分だけ外へずらせて擁壁から突き出る状態としたものである。各ブロックはパネルで囲って容器状とし、最前列の長尺ブロックには最小単位の２分の１となる位置に仕切りパネル７７を設け、後方の内部空間には砂利、コンクリート等の中込材７３を充填し、前方の内部空間には土壌となる中込材７４を充填している。擁壁の表面となるブロックの側面は、図１２に示したようなパネルを取り付け、或いはなにも取り付けることなく、植物７５を育成することができる。
【００３０】
図１７（ａ）は、下部に前記２連の長尺ブロック７１を数段直積みし、その上に、実施例２に示した長尺ブロック２０を紙面に垂直の方向に積み重ねた直積み擁壁の例を示す。この例でも各ブロックはパネルで囲って容器状とし、最前列のブロックの内部空間も仕切りパネル７７によって仕切り、後方の内部空間に砂利、コンクリート等の中込材７３を充填し、前方の内部空間には土壌となる中込材７４を充填したものである。
【００３１】
図１７（ｂ）は実施例２のタイプの長尺ブロックを横に使用し、またその２分の１の長さを持つ長尺ブロック２０′を縦の向きにして使用し、井桁を組むように積み上げた井桁積み擁壁に関する実施例を示す。擁壁表面となる面には表面パネル５８を嵌め合わせて閉じ、全内部空間に中込材７８として砕石を充填している。この例のように縦横に長尺ブロック２０、２０′を積み上げることにより、盛土としては軽量化され、かつ長尺ブロック２０、２０′等が構造体となるので構造が強化されることになる。
【００３２】
図１８は、長さの異なる数種の長尺ブロック７１、２０′…を使用したものであり、下部では短い長尺ブロック７１を配置することにより盛土量を多く用い、上部になるほど長い長尺ブロック７９、２０′を用いている。勿論各ブロックは側板部１３…１４…に側板要素５８を嵌め合わせて容器状にするとともに、内部空間には何も充填せず、それによって上部が軽量の直積み軽量盛土擁壁を構築している。最前列の内部空間を仕切りパネル７７で仕切り、土壌を中込材７４として充填することにより植物７５の育生が可能になる。
【００３３】
図１９は地表下の排水効果を望む場所に設置して、暗渠のような側溝として、或いは透水空間の確保の目的で使用する例を示しており、長尺ブロック８１は、透水性基材８２の上に設置し、平板部上にも透水性基材８２を敷き、さらにその上に透水性枠板より成る表面板８３を重ねて敷いた構造を有する。側板部１３、１４は側板要素５８によって閉塞して暗渠構造とし、表面板８３は砕石、砕木、芝等によって覆うことが望ましい。透水性の表面板８３は多孔プラスチック等ポーラスな構造を持つものが良く、表面板８３に到った水は速やかに本ブロックを透過して地下に浸透する。
【００３４】
さらに、降水を一旦貯溜し、それから河川へ流すというような排水システムにおいて、植物の栽培を行う装置の構築の例を図２０により説明する。本発明に係る長尺ブロックは下が開いた実施例１のタイプ８５と、上が開いた実施例２のタイプ８６とを端部を突き合わせて積み重ねるとともに周囲を側板要素８７で閉じ、内部空間に培地材を充填し、ミズゴケ等を生育可能な環境を作っている。そこに雨水集水装置から集められた水はポンプ８８により供給され、余水は、本発明に係る長尺ブロックを積み重ねて構築した貯溜タンク８９に戻される。
【００３５】
当該装置と他装置等との水路の連結箇所等に設けられる桝にも図２０（ｂ）に示すように本発明に係る長尺ブロック群の内の１種が使われる。この場合、実施例４の最小ブロック４０を側板部の端部を突き合わせ、かつパネル８７′により周囲を閉じるとともに水路９０、９０′の接続部の役割を持たせている。
【００３６】
図２１は、河川の根固め工に本発明に係る長尺ブロックを使用する例を示している。根固め工のうち、河床に埋設される構造体の構築に、最小ブロック２個分より成る前記の長尺ブロック７１を用い、それらを平面形で正方形となるように結合し、さらにそれを千鳥状に連結した状態が、図２１（ａ）に示したものである。長尺ブロック７１の連結には側板部端部の結合相手を利用する連結具９１が用いられる。その結合相手を間伐材等から成る木工９２の結合にも用い、全体として木工沈床が構成されている。
【００３７】
図２２は、道路の中央分離帯又は、車道と歩道との分離設備として利用される本発明の長尺ブロックの例示である。図２２の場合、下段から上段へ、最小ブロック数個分の長さの長尺ブロック９３、９３′及び横向きにした実施例２のタイプの長尺ブロック８６を積み重ねて頂稜の幅の狭い横断面を持つ構築物を構築しているものである。構築物は側板要素５５、５８により周囲を閉じ、各ブロック８６、９３…の内部空間には植物７５を生育させるために土壌となる中込材７４が充填されており、植生ブロックとしての機能を十分発揮することができる。なお、路隅には、図２０（ｂ）に示した桝と同様の構造を持つ桝で連結された排水設備９４も併設される。
【００３８】
図２３は、法面覆土工の構築に本発明に係る長尺ブロックを使用した場合の例示である。本発明に係る実施例１のタイプの長尺ブロック９５は整地法面上にそれと平行に横に並列に敷設されており、各ブロック９５は連結具９１等によって互いに結合される。内部空間には整地に伴って発生した現地発生土をポーラスな間隙材９６と共に充填することができるので、残土抑制に寄与する。木工表面は覆土されるが、覆土材９７の滑り止め９８として図２１に示したような間伐材等から成る木工を適当な配置で施すことができる。
【００３９】
なお、各ブロック１０…の係合溝１９…には、補強部材を取り付けることができることは既に一部説明している。その補強部材として図１２ではパネル状のものを例示しているが、それに限られるわけではなく、例えば図２４に示すような梁状ないしは筋交のような支柱状のものも使用することができ、特に図２４では４角錐形の補強部材９９を適用した例が示されている。図２５はパネル状の補強部材５４の適用例を具体的に示しており、構築物の隅角部では補強部材５４′も交差状のものを設けることができる。
【００４０】
このように本発明に係る構築用長尺ブロックは、各種工法に適用可能であり、例示した擁壁、雨水処理装置、河川構造の改修、法面、中央分離帯の構築等に幅広く対応することができる。その際、長尺ブロックは各種サイズ、様々な構造、形態を持つものを自由に組み合わせ、側板部間を閉じたり開いたままとしたり、或いは各種の側板要素を組み合わせて、容器としての機能や水路としての機能とを持たせるという用途が可能であり、内部空間を充填してしまえば重量ブロックと同等のものともなるので用途は著しく広汎である。なお、長尺ブロックの構成材料としてはコンクリートのほか、その他の無機材料、プラスチック及びその他の有機材料を使用可能である。
【００４１】
【発明の効果】
本発明は以上の如く構成されかつ作用するものであるから、多種多様な構築物の構築に適しており、長尺ブロックの敷設方向や積重構造を調整し、梁と柱の組み合わせによる応力分散効果を奏し得るものである、一方、内部空間に充填する材料として現場から生じた残土や再利用骨材を適用可能である環境の保全にも寄与する等顕著な効果を奏する。
【図面の簡単な説明】
【図１】（ａ）本発明に係る構築用長尺ブロックの実施例１を示す平面図。
（ｂ）同上の側面図。
（ｃ）同じく端面図。
（ｄ）同じく下面図。
【図２】（ａ）実施例１のブロックの上方から見た斜視図。
（ｂ）実施例１のブロックの下方から見た斜視図。
【図３】（ａ）本発明の実施例２を示す平面図。
（ｂ）同上の側面図。
（ｃ）同じく下面図。
（ｄ）同じく端面図。
（ｅ）図２（ａ）のＥ−Ｅ線断面図。
【図４】（ａ）実施例２のブロックの上方から見た斜視図。
（ｂ）実施例２のブロックの下方から見た斜視図。
【図５】（ａ）本発明の実施例３を示す平面図。
（ｂ）同上の側面図。
（ｃ）同じく下面図。
（ｄ）同じく端面図。
【図６】（ａ）実施例３のブロックの上方から見た斜視図。
（ｂ）実施例３のブロックの下方から見た斜視図。
【図７】（ａ）本発明の長尺ブロックと併用する最小ブロックの平面図。
（ｂ）同上の側面図。
（ｃ）同じく下面図。
【図８】（ａ）図７（ａ）のＶＩＩＩＡ−ＶＩＩＩＡ線断面図。
（ｂ）図７（ａ）のＶＩＩＩＢ−ＶＩＩＩＢ線断面図。
（ｃ）図８（ｂ）の囲み部の拡大断面図。
【図９】本発明の変形例を示すＬ字型ブロックの斜視図。
【図１０】同じくＴ字型ブロックの斜視図。
【図１１】同じく十字型ブロックの斜視図。
【図１２】本発明に係る長尺ブロックの構成要素である側板要素の例を示す斜視図。
【図１３】同じく側板要素の他の例を示す斜視図。
【図１４】さらに他の側板要素の例を示す斜視図。
【図１５】ブロック同士の結合手段の例示のための斜視図。
【図１６】（ａ）本発明ブロックの適用例を示す多段積み擁壁の説明図。
（ｂ）同じくもたれ擁壁の説明図。
【図１７】（ａ）同じく直積み擁壁の説明図。
（ｂ）同じく井桁積み擁壁の説明図。
【図１８】同じく直積み軽量盛土擁壁の説明図。
【図１９】（ａ）同じく暗渠側溝の説明のための斜視図。
（ｂ）同じく側面図。
（ｃ）同じく横断面図。
【図２０】（ａ）同じく雨水を利用した栽培システムの説明図。
（ｂ）同じく桝の例を示す斜視図。
【図２１】（ａ）同じく木工沈床の説明図。
（ｂ）同じく縦断面図。
【図２２】同じく中央分離帯の例を示す横断面図。
【図２３】同じく法面覆土工の説明図。
【図２４】補強部材の例を示す斜視図。
【図２５】構築物における補強部材の態様を示す斜視図。
【符号の説明】
１０、２０、２０′、３０、４０、５１、５２、５３、７１、７９、８１、８５、８６、９３、９３′、９５  長尺ブロック
１３、１４、２３、２４、３３、３４、４３、４４  側板部
１６、２６、３６、４６  内部空間
１７、３７、４７  嵌合手段
１８、２８、４８  嵌合手段
１９、２９、３９、４９  係合溝
５５、５８、８７  側板要素
【図１】
0004227356.tif 000002
【図２】
0004227356.tif 000003
【図３】
0004227356.tif 000004
【図４】
0004227356.tif 000005
【図５】
0004227356.tif 000006
【図６】
0004227356.tif 000007
【図７】
0004227356.tif 000008
【図８】
0004227356.tif 000009
【図９】
0004227356.tif 000010
【図１０】
0004227356.tif 000011
【図１１】
0004227356.tif 000012
【図１２】
0004227356.tif 000013
【図１３】
0004227356.tif 000014
【図１４】
0004227356.tif 000015
【図１５】
0004227356.tif 000016
【図１６】
0004227356.tif 000017
【図１７】
0004227356.tif 000018
【図１８】
0004227356.tif 000019
【図１９】
0004227356.tif 000020
【図２０】
0004227356.tif 000021
【図２１】
0004227356.tif 000022
【図２２】
0004227356.tif 000023
【図２３】
0004227356.tif 000024
【図２４】
0004227356.tif 000025
【図２５】
0004227356.tif 000026